(57)【要約】【課題】簡単かつ効率的に作業環境を管理すること。【解決手段】作業環境管理装置２００は、Ｗｅｂページ情報が表示画面に表示されている作業環境を管理する。文字列指定部２０５はＷｅｂページ情報の表示内容から文字列を指定する。文字列抽出部２０６は指定された文字列を抽出する。所在情報抽出部２０７はＷｅｂページ情報の所在情報を抽出する。登録部２０８は作業環境情報を登録する。復元指示入力部２１０は作業環境の復元指示入力を受け付ける。消去判定部２１１はＷｅｂページ情報が表示画面から消去されたか否かを判定する。作業環境情報抽出部２１２は消去判定部２１１の判定結果から登録された作業環境情報を抽出する。Ｗｅｂページ情報抽出部２１３はＷｅｂページ情報の所在情報から、表示画面から消去されたＷｅｂページ情報を抽出する。表示制御部２０４は抽出したＷｅｂページ情報を表示する。【選択図】        図２
2005190281.tif 000002
【特許請求の範囲】
【請求項１】
Ｗｅｂページ情報が表示画面に表示されている作業環境を管理する作業環境管理装置であって、
前記Ｗｅｂページ情報の表示内容から任意の文字列を指定する文字列指定手段と、
前記文字列指定手段によって指定された文字列を抽出する文字列抽出手段と、
前記文字列抽出手段によって文字列が抽出されたＷｅｂページ情報の所在を示す所在情報を抽出する所在情報抽出手段と、
前記文字列抽出手段によって抽出された文字列および前記所在情報抽出手段によって抽出された所在情報からなる作業環境情報を登録する登録手段と、
を備えることを特徴とする作業環境管理装置。
【請求項２】
前記作業環境の復元指示の入力を受け付ける復元指示入力手段と、
前記復元指示入力手段によって入力された前記作業環境の復元指示があった場合、前記Ｗｅｂページ情報が前記表示画面から消去されたか否かを判定する消去判定手段と、
前記消去判定手段によって判定された判定結果に基づいて、前記登録手段によって登録された作業環境情報を抽出する作業環境情報抽出手段と、
前記作業環境情報抽出手段によって抽出された作業環境情報に含まれているＷｅｂページ情報の所在情報に基づいて、前記表示画面から消去されたＷｅｂページ情報を抽出するＷｅｂページ情報抽出手段と、
前記表示画面を制御して、前記Ｗｅｂページ情報抽出手段によって抽出されたＷｅｂページ情報を表示する表示制御手段と、
を備えることを特徴とする請求項１に記載の作業環境管理装置。
【請求項３】
前記表示制御手段は、
前記Ｗｅｂページ情報抽出手段によって抽出されたＷｅｂページ情報の表示内容のうち、前記作業環境情報抽出手段によって抽出された作業環境情報に含まれている文字列を強調表示することを特徴とする請求項２に記載の作業環境管理装置。
【請求項４】
Ｗｅｂページ情報が表示画面に表示されている作業環境を管理する作業環境管理方法であって、
前記Ｗｅｂページ情報の表示内容から任意の文字列を指定する文字列指定工程と、
前記文字列指定工程によって指定された文字列を抽出する文字列抽出工程と、
前記文字列抽出工程によって文字列が抽出されたＷｅｂページ情報の所在を示す所在情報を抽出する所在情報抽出工程と、
前記文字列抽出工程によって抽出された文字列および前記所在情報抽出工程によって抽出された所在情報からなる作業環境情報を登録する登録工程と、
を含んだことを特徴とする作業環境管理方法。
【請求項５】
前記作業環境の復元指示を入力する復元指示入力工程と、
前記復元指示入力工程によって入力された前記作業環境の復元指示があった場合、前記Ｗｅｂページ情報が前記表示画面から消去されたか否かを判定する消去判定工程と、
前記消去判定工程によって判定された判定結果に基づいて、前記登録工程によって登録された作業環境情報を抽出する作業環境情報抽出工程と、
前記作業環境情報抽出工程によって抽出された作業環境情報に含まれているＷｅｂページ情報の所在情報に基づいて、前記表示画面から消去されたＷｅｂページ情報を抽出するＷｅｂページ情報抽出工程と、
前記Ｗｅｂページ情報抽出工程によって抽出されたＷｅｂページ情報を、前記表示画面に表示する表示工程と、
を含んだことを特徴とする請求項４に記載の作業環境管理方法。
【請求項６】
前記表示工程は、
前記Ｗｅｂページ情報抽出工程によって抽出されたＷｅｂページ情報の表示内容のうち、前記作業環境情報抽出工程によって抽出された作業環境情報に含まれている文字列を強調表示することを特徴とする請求項５に記載の作業環境管理方法。
【請求項７】
請求項４〜６のいずれか一つに記載の作業環境管理方法を、コンピュータに実行させることを特徴とする作業環境管理プログラム。
【発明の詳細な説明】
【技術分野】
【０００１】
この発明は、作業対象となるＷｅｂページ情報が表示画面に表示されている作業環境を管理する作業環境管理装置、作業環境管理方法、および作業環境管理プログラムに関する。
【背景技術】
【０００２】
従来、コンピュータ端末を用いて電子文書を作成するとき、インターネット上に公開されている情報を引用する場合がある。この場合、ユーザがほしい情報をインターネットから取得するため、Ｗｅｂブラウザから検索エンジンを立ち上げて、所望するＷｅｂページを表示画面に表示させる。そして、Ｗｅｂページに表示されている文字列をコピーして、電子文書に貼付する。また、所望する情報が複数ある場合は、所望する情報ごとにＷｅｂページを表示画面上に表示させて、電子文書の作成作業をおこなっている。
【発明の開示】
【発明が解決しようとする課題】
【０００３】
しかしながら、上述のような表示画面上の作業環境において、作成作業を途中で終了する場合、所望する情報を引用するために表示したＷｅｂページも終了させることがある。したがって、その後、作成作業を再開する場合、前回表示させていたＷｅｂページを表示したいとき、Ｗｅｂブラウザの履歴情報から探さなければならず、作成作業の再開に手間がかかるという問題があった。
【０００４】
また、Ｗｅｂブラウザの履歴情報には、Ｗｅｂページ名およびそのＷｅｂページのＵＲＬが表示されているだけで、一度クリックして表示画面に表示させないとユーザが所望するＷｅｂページかどうかわからず、作成作業の再開に手間がかかるという問題があった。さらに、Ｗｅｂページを表示させてもどの部分を参照していたかが不明であり、参照箇所を探さなければならず、手間がかかるという問題があった。
【０００５】
この発明は、上述した従来技術による問題点を解消するため、簡単かつ効率的に作業環境を管理することができる作業環境管理装置、作業環境管理方法、および作業環境管理プログラムを提供することを目的とする。
【課題を解決するための手段】
【０００６】
上述した課題を解決し、目的を達成するため、請求項１の発明にかかる作業環境管理装置は、Ｗｅｂページ情報が表示画面に表示されている作業環境を管理する作業環境管理装置であって、前記Ｗｅｂページ情報の表示内容から任意の文字列を指定する文字列指定手段と、前記文字列指定手段によって指定された文字列を抽出する文字列抽出手段と、前記文字列抽出手段によって文字列が抽出されたＷｅｂページ情報の所在を示す所在情報を抽出する所在情報抽出手段と、前記文字列抽出手段によって抽出された文字列および前記所在情報抽出手段によって抽出された所在情報からなる作業環境情報を登録する登録手段と、を備えることを特徴とする。
【０００７】
この請求項１の発明によれば、登録された作業環境情報を手掛かりとして作業環境を復元することができる。
【０００８】
また、請求項２の発明にかかる作業環境管理装置は、請求項１に記載の発明において、前記作業環境の復元指示の入力を受け付ける復元指示入力手段と、前記復元指示入力手段によって入力された前記作業環境の復元指示があった場合、前記Ｗｅｂページ情報が前記表示画面から消去されたか否かを判定する消去判定手段と、前記消去判定手段によって判定された判定結果に基づいて、前記登録手段によって登録された作業環境情報を抽出する作業環境情報抽出手段と、前記作業環境情報抽出手段によって抽出された作業環境情報に含まれているＷｅｂページ情報の所在情報に基づいて、前記表示画面から消去されたＷｅｂページ情報を抽出するＷｅｂページ情報抽出手段と、前記表示画面を制御して、前記Ｗｅｂページ情報抽出手段によって抽出されたＷｅｂページ情報を表示する表示制御手段と、を備えることを特徴とする。
【０００９】
この請求項２の発明によれば、作業環境を復元することにより、作業を簡単かつ効率的に継続することができる。
【００１０】
また、請求項３の発明にかかる作業環境管理装置は、請求項２に記載の発明において、前記表示制御手段は、前記Ｗｅｂページ情報抽出手段によって抽出されたＷｅｂページ情報の表示内容のうち、前記作業環境情報抽出手段によって抽出された作業環境情報に含まれている文字列を強調表示することを特徴とする。
【００１１】
この請求項３の発明によれば、作業終了前に参照していたＷｅｂページ情報内の文字列を認識することができる。
【００１２】
また、請求項４の発明にかかる作業環境管理方法は、Ｗｅｂページ情報が表示画面に表示されている作業環境を管理する作業環境管理方法であって、前記Ｗｅｂページ情報の表示内容から任意の文字列を指定する文字列指定工程と、前記文字列指定工程によって指定された文字列を抽出する文字列抽出工程と、前記文字列抽出工程によって文字列が抽出されたＷｅｂページ情報の所在を示す所在情報を抽出する所在情報抽出工程と、前記文字列抽出工程によって抽出された文字列および前記所在情報抽出工程によって抽出された所在情報からなる作業環境情報を登録する登録工程と、を含んだことを特徴とする。
【００１３】
この請求項４の発明によれば、登録された作業環境情報を手掛かりとして作業環境を復元することができる。
【００１４】
また、請求項５の発明にかかる作業環境管理方法は、請求項４に記載の発明において、前記作業環境の復元指示を入力する復元指示入力工程と、前記復元指示入力工程によって入力された前記作業環境の復元指示があった場合、前記Ｗｅｂページ情報が前記表示画面から消去されたか否かを判定する消去判定工程と、前記消去判定工程によって判定された判定結果に基づいて、前記登録工程によって登録された作業環境情報を抽出する作業環境情報抽出工程と、前記作業環境情報抽出工程によって抽出された作業環境情報に含まれているＷｅｂページ情報の所在情報に基づいて、前記表示画面から消去されたＷｅｂページ情報を抽出するＷｅｂページ情報抽出工程と、前記Ｗｅｂページ情報抽出工程によって抽出されたＷｅｂページ情報を、前記表示画面に表示する表示工程と、を含んだことを特徴とする。
【００１５】
この請求項５の発明によれば、作業環境を復元することにより、作業を簡単かつ効率的に継続することができる。
【００１６】
また、請求項６の発明にかかる作業環境管理方法は、請求項５に記載の発明において、前記表示工程は、前記Ｗｅｂページ情報抽出工程によって抽出されたＷｅｂページ情報の表示内容のうち、前記作業環境情報抽出工程によって抽出された作業環境情報に含まれている文字列を強調表示することを特徴とする。
【００１７】
この請求項６の発明によれば、作業終了前に参照していたＷｅｂページ情報内の文字列を認識することができる。
【００１８】
また、請求項７の発明にかかる作業環境管理プログラムは、請求項４〜６のいずれか一つに記載の作業環境管理方法を、コンピュータに実行させることを特徴とする。
【００１９】
この請求項７の発明によれば、請求項４〜６のいずれか一つに記載の作業環境管理方法を、コンピュータを用いて実現することができる。
【発明の効果】
【００２０】
本発明にかかる作業環境管理装置、作業環境管理方法、および作業環境管理プログラムによれば、表示画面に表示されたＷｅｂページ情報から引用した文字列やそのＷｅｂページ情報の所在情報を登録することにより、登録された作業環境情報を手掛かりとして作業環境を復元することができる。したがって、一度終了した作業を簡単かつ効率的に継続することができるという効果を奏する。
【発明を実施するための最良の形態】
【００２１】
以下に添付図面を参照して、この発明にかかる作業環境管理装置、作業環境管理方法、および作業環境管理プログラムの好適な実施の形態を詳細に説明する。
【００２２】
（実施の形態）
（作業環境管理装置のハードウェア構成）
まず、この発明の実施の形態にかかる作業環境管理装置のハードウェア構成について説明する。図１は、この発明の実施の形態にかかる作業環境管理装置のハードウェア構成を示す説明図である。図１において、作業環境管理装置は、ＣＰＵ１０１と、ＲＯＭ１０２と、ＲＡＭ１０３と、ＨＤＤ（ハードディスクドライブ）１０４と、ＨＤ（ハードディスク）１０５と、ＦＤＤ（フレキシブルディスクドライブ）１０６と、着脱可能な記録媒体の一例としてＦＤ（フレキシブルディスク）１０７と、ディスプレイ１０８と、Ｉ／Ｆ（インターフェース）１０９と、キーボード１１０と、マウス１１１と、スキャナ１１２と、プリンタ１１３と、を備えている。また、各構成部は、バス１００によってそれぞれ接続されている。
【００２３】
ここで、ＣＰＵ１０１は、作業環境管理装置の全体の制御を司る。ＲＯＭ１０２は、ブートプログラムなどのプログラムを記憶している。ＲＡＭ１０３は、ＣＰＵ１０１のワークエリアとして使用される。ＨＤＤ１０４は、ＣＰＵ１０１の制御にしたがってＨＤ１０５に対するデータのリード／ライトを制御する。ＨＤ１０５は、ＨＤＤ１０４の制御で書き込まれたデータを記憶する。
【００２４】
ＦＤＤ１０６は、ＣＰＵ１０１の制御にしたがってＦＤ１０７に対するデータのリード／ライトを制御する。ＦＤ１０７は、ＦＤＤ１０６の制御で書き込まれたデータを記憶したり、ＦＤ１０７に記憶されたデータを作業環境管理装置に読み取らせたりする。着脱可能な記録媒体として、ＦＤ１０７のほか、ＣＤ−ＲＯＭ（ＣＤ−Ｒ、ＣＤ−ＲＷ）、ＭＯ、ＤＶＤ（Digital Versatile Disk）、フラッシュメモリなどであってもよい。ディスプレイ１０８は、カーソル、アイコンあるいはツールボックスをはじめ、文書、画像、機能情報などのデータを表示する。このディスプレイ１０８は、たとえば、ＣＲＴ、ＴＦＴ液晶ディスプレイ、プラズマディスプレイ等を採用することができる。
【００２５】
Ｉ／Ｆ１０９は、通信回線を通じてインターネットなどのネットワークに接続され、このネットワークを介して他の装置に接続される。そして、Ｉ／Ｆ１０９は、ネットワークと内部のインターフェースを司り、外部装置からのデータの入出力を制御する。Ｉ／Ｆ１０９には、たとえばモデムやＬＡＮアダプタなどを採用することができる。
【００２６】
キーボード１１０は、文字、数字、各種指示などの入力のためのキーを備え、データの入力をおこなう。また、タッチパネル式の入力パッドやテンキーなどであってもよい。マウス１１１は、カーソルの移動や範囲選択、あるいはウィンドウの移動やサイズの変更などをおこなう。ポインティングデバイスとして同様に機能を備えるものであれば、トラックボールやジョイスティックなどであってもよい。
【００２７】
スキャナ１１２は、画像を光学的に読み取り、作業環境管理装置内に画像データを取り込む。また、プリンタ１１３は、画像データや文書データを印刷する。プリンタ１１３には、たとえば、レーザプリンタやインクジェットプリンタを採用することができる。
【００２８】
（作業環境管理装置の機能的構成）
つぎに、この発明の実施の形態にかかる作業環境管理装置の機能的構成について説明する。図２は、この発明の実施の形態にかかる作業環境管理装置の機能的構成を示す説明図である。図２において、作業環境管理装置２００は、Ｗｅｂページ情報取得部２０１と、Ｗｅｂページ情報記憶部２０２と、表示部２０３と、表示制御部２０４と、文字列指定部２０５と、文字列抽出部２０６と、所在情報抽出部２０７と、登録部２０８と、作業環境情報記憶部２０９と、復元指示入力部２１０と、消去判定部２１１と、作業環境情報抽出部２１２と、Ｗｅｂページ情報抽出部２１３と、を備えている。
【００２９】
Ｗｅｂページ情報取得部２０１は、インターネットなどのネットワーク２１４から、ユーザが所望するＷｅｂページ情報を取得する。具体的には、表示画面に表示されたブラウザにＵＲＬを入力し、またはあらかじめ登録されたＵＲＬを指定することにより、当該ＵＲＬに含まれているドメイン名に対応するＷｅｂサーバにアクセスする。そしてそのＷｅｂサーバから送信されてくる、ＵＲＬによってあらわされるディレクトリ内のファイル（Ｗｅｂページ情報）を受信する。このＷｅｂページ情報取得部２０１は、具体的には、たとえば、図１に示したＲＯＭ１０２、ＲＡＭ１０３、ＨＤ１０５、ＦＤ１０７などに格納されたプログラムをＣＰＵ１０１が実行することによって、また図１に示したＩ／Ｆ１０９によってその機能を実現する。
【００３０】
Ｗｅｂページ情報記憶部２０２は、Ｗｅｂページ情報取得部２０１によって取得したＷｅｂページ情報を記憶する。このＷｅｂページ情報記憶部２０２は、具体的には、たとえば、図１に示したＲＯＭ１０２、ＲＡＭ１０３、ＨＤ１０５、ＦＤ１０７によってその機能を実現する。
【００３１】
表示部２０３は、表示画面を有する。この表示部２０３は、具体的には、たとえば、図１に示したディスプレイ１０８によってその機能を実現する。表示制御部２０４は、表示画面を制御して、Ｗｅｂページ情報記憶部２０２によって記憶されたＷｅｂページ情報またはＷｅｂページ情報抽出部２１３によって抽出されたＷｅｂページ情報を表示する。この表示制御部２０４は、具体的には、たとえば、図１に示したＲＯＭ１０２、ＲＡＭ１０３、ＨＤ１０５、ＦＤ１０７などに格納されたプログラムをＣＰＵ１０１が実行することによって、また図１に示したＩ／Ｆ１０９によってその機能を実現する。
【００３２】
文字列指定部２０５は、表示画面に表示されたＷｅｂページ情報の表示内容から、任意の文字列を指定する。具体的には、たとえば、マウス１１１を操作して、所望する文字列をドラッグすることによって指定することができる。この文字列指定部２０５は、具体的には、たとえば、図１に示したＲＯＭ１０２、ＲＡＭ１０３、ＨＤ１０５、ＦＤ１０７などに格納されたプログラムをＣＰＵ１０１が実行することによって、また図１に示したＩ／Ｆ１０９によってその機能を実現する。
【００３３】
文字列抽出部２０６は、文字列指定部２０５によって指定された文字列を抽出する。具体的には、マウス１１１によってドラッグされた文字列をメモリに一時的に保持する。この文字列指定部２０５は、具体的には、たとえば、図１に示したＲＯＭ１０２、ＲＡＭ１０３、ＨＤ１０５、ＦＤ１０７などに格納されたプログラムをＣＰＵ１０１が実行することによって、また図１に示したＩ／Ｆ１０９によってその機能を実現する。
【００３４】
また、所在情報抽出部２０７は、Ｗｅｂページ情報記憶部２０２に記憶されたＷｅｂページ情報からＷｅｂページ情報の所在をあらわす所在情報を抽出する。ここで、所在情報とは、たとえば、Ｗｅｂページ情報のＵＲＬや、Ｗｅｂページ情報が記憶されているフォルダ名およびフォルダまでのパスによってあらわすことができる。この所在情報抽出部２０７は、具体的には、たとえば、図１に示したＲＯＭ１０２、ＲＡＭ１０３、ＨＤ１０５、ＦＤ１０７などに格納されたプログラムをＣＰＵ１０１が実行することによって、また図１に示したＩ／Ｆ１０９によってその機能を実現する。
【００３５】
登録部２０８は、文字列抽出部２０６によって抽出された文字列および所在情報抽出部２０７によって抽出された所在情報からなる作業環境情報を、作業環境情報記憶部２０９に登録する。この登録部２０８は、具体的には、たとえば、図１に示したＲＯＭ１０２、ＲＡＭ１０３、ＨＤ１０５、ＦＤ１０７などに格納されたプログラムをＣＰＵ１０１が実行することによって、また図１に示したＩ／Ｆ１０９によってその機能を実現する。
【００３６】
作業環境情報記憶部２０９は、文字列抽出部２０６によって抽出された文字列および所在情報抽出部２０７によって抽出された所在情報からなる作業環境情報を記憶する。ここで、作業環境情報記憶部２０９の記憶内容について説明する。図３は、作業環境情報記憶部２０９の記憶内容を示す説明図である。図３において、作業名ごとに、Ｗｅｂページ情報の作業環境情報が記憶されている。Ｗｅｂページ情報の作業環境情報は、Ｗｅｂページ名、抽出した文字列、および所在情報によって構成されている。
【００３７】
また、作業環境情報記憶部２０９には、文書ファイル情報を記憶することとしてもよい。この文書ファイルの作業環境情報とは、たとえば、Ｗｅｂページ情報に表示されている文字列を貼付する文書ファイルに関する作業環境情報であり、ファイル名と、記憶されているフォルダをあらわす所在情報とから構成されている。この作業環境情報記憶部２０９は、具体的には、たとえば、図１に示したＲＯＭ１０２、ＲＡＭ１０３、ＨＤ１０５、ＦＤ１０７によってその機能を実現する。
【００３８】
復元指示入力部２１０は、作業環境の復元指示の入力を受け付ける。この復元指示入力部２１０は、具体的には、たとえば、図１に示したＲＯＭ１０２、ＲＡＭ１０３、ＨＤ１０５、ＦＤ１０７などに格納されたプログラムをＣＰＵ１０１が実行することによって、また図１に示したＩ／Ｆ１０９によってその機能を実現する。
【００３９】
消去判定部２１１は、復元指示があった作業環境が表示画面から消去されているか否かを判定する。この消去判定部２１１は、具体的には、たとえば、図１に示したＲＯＭ１０２、ＲＡＭ１０３、ＨＤ１０５、ＦＤ１０７などに格納されたプログラムをＣＰＵ１０１が実行することによって、また図１に示したＩ／Ｆ１０９によってその機能を実現する。
【００４０】
作業環境情報抽出部２１２は、復元指示があり、かつ、表示画面から消去されている作業環境についてのＷｅｂページおよび文書ファイルの作業環境情報を、作業環境情報記憶部２０９から抽出する。この作業環境情報抽出部は、具体的には、たとえば、図１に示したＲＯＭ１０２、ＲＡＭ１０３、ＨＤ１０５、ＦＤ１０７などに格納されたプログラムをＣＰＵ１０１が実行することによって、また図１に示したＩ／Ｆ１０９によってその機能を実現する。
【００４１】
Ｗｅｂページ情報抽出部２１３は、作業環境情報抽出部２１２によって抽出された作業環境情報に基づいて、Ｗｅｂページ情報を抽出する。具体的には、このＷｅｂページ情報の抽出は、所在情報がフォルダ名およびそのフォルダまでのパスである場合は、Ｗｅｂページ情報記憶部２０２内のフォルダから抽出する。一方、ＵＲＬの場合は、このＵＲＬを手掛かりとしてＷｅｂページ情報取得部２０１によってＷｅｂページ情報を介して、Ｗｅｂページ情報を抽出することができる。
【００４２】
また、文書ファイルの抽出は、文書ファイルの所在情報であるフォルダ名およびそのフォルダまでのパスを手掛かりとして抽出する。抽出した文書ファイルは、この文書ファイルを起動するアプリケーションによって自動的に起動するようになっている。このＷｅｂページ情報抽出部２１３は、具体的には、たとえば、図１に示したＲＯＭ１０２、ＲＡＭ１０３、ＨＤ１０５、ＦＤ１０７などに格納されたプログラムをＣＰＵ１０１が実行することによって、また図１に示したＩ／Ｆ１０９によってその機能を実現する。
【００４３】
つぎに、作業環境情報の情報記憶構造について説明する。図４は、作業環境情報の情報記憶構造を示す説明図である。図４において、作業環境情報の情報記憶構造は、階層構造とされており、ユーザによって自由に設定することができる。たとえば、作業Ａの作業内容が「グルメ」に関する作業内容であるとすると、作業Ｂは「和食」に関する作業内容、作業Ｃは「イタリアンレストラン」に関する作業内容、作業Ｄは「ラーメン」に関する作業内容とすることができる。そして、これらのボタン４０１〜４１２をクリックすることにより、対応する作業環境を復元することができる。
【００４４】
つぎに、Ｗｅｂページ情報が表示画面に表示されている作業環境について説明する。図５および図６は、Ｗｅｂページ情報が表示画面に表示されている作業環境を示す説明図である。図５において、表示画面５００には、２つのＷｅｂページ情報５０１，５０２と、１つの文書ファイル５０３とが表示されている。この例では、２つのＷｅｂページ情報５０１，５０２において指定された文字列５０４，５０５を、文書ファイル５０３に貼付している作業の作業環境例を示している。ここで、Ｗｅｂページ情報において指定された文字列５０４，５０５は、マーカー５０６，５０７で色塗りをしたように強調表示することができる。
【００４５】
そして、図６において、履歴アイコン５０８をクリックすると、マーカー履歴ウィンドウ６００を表示することができる。このマーカー履歴ウィンドウ６００には、図４に示した作業Ａ〜Ｌ（図面上では作業Ａ〜Ｈ）をあらわすボタン６０１〜６０８が表示されている。任意のボタン（図では作業Ｆのボタン６０６）をクリックすると、登録エリア６１０が表示される。そして、Ｗｅｂページ情報から指定された文字列５０４，５０５を抽出して、この登録エリア６１０に登録する。このときＷｅｂページ情報の所在情報も登録される。そして、この登録エリア６１０では、登録した文字列５０４，５０５を所在情報によってリンク表示することができる。したがって、この登録した文字列を指定すると、所在情報を手掛かりとして、その文字列５０４，５０５が記述されたＷｅｂページ情報を抽出することができる。
【００４６】
（作業環境管理処理手順）
つぎに、この発明の実施の形態にかかる作業環境登録手順について説明する。図７は、この発明の実施の形態にかかる作業環境登録手順を示すフローチャートである。図７において、まず、Ｗｅｂページ情報を取得した場合（ステップＳ７０１：Ｙｅｓ）、図５に示したように、表示画面にＷｅｂページ情報を表示する（ステップＳ７０２）。
【００４７】
そして、図６に示したように、表示されたＷｅｂページ情報の表示内容から任意の文字列が指定された場合（ステップＳ７０３：Ｙｅｓ）その文字列を抽出するとともに（ステップＳ７０４）、抽出した文字列を表示するＷｅｂページ情報の所在情報も抽出する（ステップＳ７０５）。そして、この抽出した文字列および所在情報からなる作業環境情報を、図２に示した作業環境情報記憶部２０９に登録する（ステップＳ７０６）。この登録により、図６に示したように、登録エリア６１０において、抽出した文字列５０４，５０５が所在情報によってリンク表示される。そして、作業の終了指示があった場合（ステップＳ７０７：Ｙｅｓ）、作業が終了する。一方、作業の終了指示がない場合（ステップＳ７０７：Ｎｏ）、ステップＳ７０１に移行する。
【００４８】
つぎに、この発明の実施の形態にかかる作業環境復元手順について説明する。図８は、この発明の実施の形態にかかる作業環境復元手順を示すフローチャートである。図８において、作業環境の復元指示入力があった場合（ステップＳ８０１：Ｙｅｓ）、復元指示入力のあった作業環境が表示画面から消去されているか否かを判定する（ステップＳ８０２）。作業環境が消去されてない場合（ステップＳ８０２：Ｎｏ）、ステップＳ８０１に移行する。
【００４９】
一方、作業環境が消去されている場合（ステップＳ８０２：Ｙｅｓ）、復元指示があった作業の作業環境情報を抽出する（ステップＳ８０３）。そして、抽出した作業環境情報に含まれている所在情報を手掛かりとしてＷｅｂページ情報を抽出する（ステップＳ８０４）。このＷｅｂページ情報の抽出は、所在情報がフォルダ名およびそのフォルダまでのパスである場合は、Ｗｅｂページ情報記憶部２０２内のフォルダから抽出する。一方、ＵＲＬの場合は、このＵＲＬを手掛かりとしてＷｅｂページ情報取得部２０１によってＷｅｂページ情報を介して、Ｗｅｂページ情報を抽出することができる。そして、抽出したＷｅｂページ情報を表示画面に表示する（ステップＳ８０５）。これにより、すでに終了した作業環境を復元することができる。
【００５０】
また、抽出したＷｅｂページ情報に表示されている文字列と、抽出した作業環境情報に含まれている文字列とを比較する（ステップＳ８０６）。そして、文字列が一致する場合（ステップＳ８０７：Ｙｅｓ）、一致した文字列を強調表示、たとえば、マーカーによって色塗りをほどこした表示状態にする（ステップＳ８０８）。
【００５１】
以上説明したように、作業環境管理装置、作業環境管理方法、および作業環境管理プログラムによれば、表示画面に表示されたＷｅｂページ情報から引用した文字列やそのＷｅｂページ情報の所在情報を登録することにより、登録された作業環境情報を手掛かりとして作業環境を復元することができる。したがって、一度終了した作業を簡単かつ効率的に継続することができる。
【００５２】
なお、本実施の形態で説明した作業環境管理方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００５３】
以上のように、本発明にかかる作業環境管理装置、作業環境管理方法、および作業環境管理プログラムは、作業対象となるＷｅｂページ情報が表示画面に表示されている作業環境を管理する作業環境管理装置、作業環境管理方法、および作業環境管理プログラムに有用である。
【図面の簡単な説明】
【００５４】
【図１】この発明の実施の形態にかかる作業環境管理装置のハードウェア構成を示す説明図である。
【図２】この発明の実施の形態にかかる作業環境管理装置の機能的構成を示す説明図である。
【図３】作業環境情報記憶部の記憶内容を示す説明図である。
【図４】作業環境情報の情報記憶構造を示す説明図である。
【図５】Ｗｅｂページ情報が表示画面に表示されている作業環境を示す説明図である（その１）。
【図６】Ｗｅｂページ情報が表示画面に表示されている作業環境を示す説明図である（その２）。
【図７】この発明の実施の形態にかかる作業環境登録手順を示すフローチャートである。
【図８】この発明の実施の形態にかかる作業環境復元手順を示すフローチャートである。
【符号の説明】
【００５５】
２００  作業環境管理装置
２０３  表示部
２０４  表示制御部
２０５  文字列指定部
２０６  文字列抽出部
２０７  所在情報抽出部
２０８  登録部
２１０  復元指示入力部
２１１  消去判定部
２１２  作業環境情報抽出部
２１３  Ｗｅｂページ情報抽出部
【図１】
2005190281.tif 000003
【図２】
2005190281.tif 000004
【図３】
2005190281.tif 000005
【図４】
2005190281.tif 000006
【図５】
2005190281.tif 000007
【図６】
2005190281.tif 000008
【図７】
2005190281.tif 000009
【図８】
2005190281.tif 000010